(57)【要約】【課題】本発明は目地部側に柱等の障害物が存在し、地震等で左右の建物が異なる左右方向の揺れ動きが生じても、損傷することなく、かつ揺れ動きが停止すると自動的に元の状態に戻すことができる目地カバー装置を得るにある。【解決手段】一方の建物の目地部側の壁面と他方の建物の目地部側に有する柱等を除く部位の左右の床躯体あるいは天井材間の目地部を覆う一端部が一方の建物の目地部側の壁面に取付けられ、他端部が床躯体あるいは天井材上をスライド移動可能に支持された筒状あるいはリップミゾ形鋼形状の左右の目地カバーと、この左右の目地カバーにスライド移動可能に取付けられた柱等を有する部位の目地部を覆う該柱等と当接する部位が傾斜面に形成された左右のスライド目地プレートと、この左右のスライド目地プレートが常時当接するように付勢する付勢機構とで目地カバー装置を構成している。【選択図】  図３
2004183404.tif 000002
【特許請求の範囲】
【請求項１】
目地部を介して設けられた左右の建物の、一方の建物の目地部側の壁面と他方の建物の目地部側に有する柱等を除く部位の左右の床躯体あるいは天井材間の目地部を覆う一端部が前記一方の建物の目地部側の壁面に取付けられ、他端部が前記床躯体あるいは天井材上をスライド移動可能に支持された筒状あるいはリップミゾ形鋼形状の左右の目地カバーと、この左右の目地カバーにスライド移動可能に取付けられた前記柱等を有する部位の目地部を覆う、該柱等と当接する部位が傾斜面に形成された左右のスライド目地プレートと、この左右のスライド目地プレートが常時当接するように付勢する付勢機構とからなることを特徴とする目地カバー装置。
【請求項２】
目地部を介して設けられた左右の建物の、一方の建物の目地部側の壁面と他方の建物の目地部側に有する柱等を除く部位の左右の躯体あるいは天井材間の目地部を覆う一端部が前記一方の建物の目地部側の壁面に取付けられ、他端部が前記床躯体あるいは天井材上をスライド移動可能に支持された筒状あるいはリップミゾ形鋼形状の左右の目地カバーと、この左右の目地カバーにスライド移動可能に取付けられた前記柱等を有する部位の目地部を覆う、該柱等と当接する部位が三角形状となる傾斜面に形成された左右のスライド目地プレートと、この左右のスライド目地プレートが常時当接するように付勢する付勢機構と、前記左右のスライド目地プレート間に形成された三角形状部分を覆うとともに、該左右のスライド目地プレートの傾斜面を押し圧することができる、前記柱等に固定された押し圧片とからなることを特徴とする目地カバー装置。
【発明の詳細な説明】
【０００１】
【発明の属する技術分野】
本発明は一方の建物の壁面と目地部を介して設けられた他方の建物の目地部側に柱等を有する部位の床あるいは天井部分の目地部を覆う目地カバー装置に関する。
【０００２】
【従来の技術】
従来、左右の建物間の目地部は、一端部が一方の建物の目地部側の壁面に取付けられ、他端部が他方の建物の床面上をスライド移動可能に支持される目地カバーを用いて覆っている。
【０００３】
【発明が解決しようとする課題】
従来の目地カバーは他方の建物の目地部側に柱等の障害物のない場所では使用することができるが、柱等が存在すると、使用しても地震等の揺れ動きで目地カバーが損傷するという欠点があった。
【０００４】
本発明は以上のような従来の欠点に鑑み、目地部側に柱等の障害物が存在していても、地震等で左右の建物が異なる左右方向の揺れ動きが生じても、その揺れ動きを損傷することなく、かつ揺れ動きが停止すると自動的に元の状態に戻すことができる目地カバー装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は目地部を介して設けられた左右の建物の、一方の建物の目地部側の壁面と他方の建物の目地部側に有する柱等を除く部位の左右の床躯体あるいは天井材間の目地部を覆う一端部が前記一方の建物の目地部側の壁面に取付けられ、他端部が前記床躯体あるいは天井材上をスライド移動可能に支持された筒状あるいはリップミゾ形鋼形状の左右の目地カバーと、この左右の目地カバーにスライド移動可能に取付けられた前記柱等を有する部位の目地部を覆う、該柱等と当接する部位が傾斜面に形成された左右のスライド目地プレートと、この左右のスライド目地プレートが常時当接するように付勢する付勢機構とで目地カバー装置を構成している。
【０００７】
【発明の実施の形態】
以下、図面に示す実施の形態により、本発明を詳細に説明する。
【０００８】
図１ないし図８に示す本発明の第１の実施の形態において、１は目地部２を介して設けられた左右の建物３、３の一方の建物３の目地部側の壁面３ａと他方の建物３の目地部側に柱や突起物等の障害物４を有する床躯体３ｂ間を覆う本発明の目地カバー装置で、この目地カバー装置１は一端部が前記柱等の障害物４を除く部位の、前記一方の建物３の目地部側の壁面３ａに固定された固定部材５に固定され、他端部が前記他方の建物３の床躯体３ｂにスライド移動可能に支持されたリップミゾ形鋼形状の左右の目地カバー６、６と、この左右の目地カバー６、６にスライド移動可能に取付けられた前記柱等の障害物４を有する部位の目地部２を覆う、該柱等の障害物４と当接する部位が傾斜面７、７に形成された左右のスライド目地プレート８、８と、この左右のスライド目地プレート８、８が常時当接するように付勢する一端部が左右のスライド目地プレート８、８に取付けられ、他端部が他方の左右の目地カバー６、６や壁面３ａに取付けられた引張りスプリング９、９を用いた付勢機構１０、１０と、前記柱等の障害物４に固定された前記左右のスライド目地プレート８、８の傾斜面７、７を押し圧することができる山形形状の押し圧片１１とで構成されている。
【０００９】
上記構成の目地カバー装置１は地震等によって左右の建物３、３が異なる左右方向に揺れ動いて目地部２が広くなった場合には、図６に示すように左右の目地カバー６、６の他端部が床躯体３ｂ上をスライド移動して、その揺れ動きを吸収する。
また、目地部２が狭くなった場合には、図７および図８に示すように左右の目地カバー６、６の他端部が床躯体３ｂ上をスライド移動するとともに、柱等の障害物４に固定された押し圧片１１が左右のスライド目地プレート８、８の傾斜面７、７を押し圧して、該左右のスライド目地プレート８、８が左右の目地カバー６、６内へ押し込まれるように付勢機構１０、１０の引張りスプリング９、９の付勢力に抗してスライド移動させて、その揺れ動きを吸収する。
なお、揺れ動きが停止すると、付勢機構１０、１０の引張りスプリング９、９の付勢力により左右のスライド目地プレート８、８が当接する元の状態に自動的に戻る。
【００１０】
【発明の異なる実施の形態】
次に、図９ないし図１７に示す本発明の異なる実施の形態につき説明する。なお、これらの本発明の異なる実施の形態の説明に当って、前記本発明の第１の実施の形態と同一構成部分には同一符号を付して重複する説明を省略する。
【００１１】
図９ないし図１１に示す本発明の第２の実施の形態において、前記本発明の第１の実施の形態と主に異なる点は、筒状に形成された左右の目地カバー６Ａ、６Ａの一端部をヒンジ部材１２、１２で一方の建物３の壁面３ａに他端部が上下方向に回動可能に取付けるとともに、左右の目地カバー６Ａ、６Ａの他端部に該左右の目地カバー６Ａ、６Ａの他端部が床躯体３ｂより上方へ回動した場合に、隙間が生じるのを阻止することができるように回動可能に取付けられた端部カバー１３、１３を取付けた点で、このように構成した目地カバー装置１Ａにしても、前記本発明の第１の実施の形態と同様な作用効果が得られる。
【００１２】
図１２ないし図１４に示す本発明の第３の実施の形態において、前記本発明の第１の実施の形態と主に異なる点は、円柱状の柱等の障害物４Ａに対し、円弧状の傾斜面７Ａ、７Ａを形成した左右のスライド目地プレート８Ａ、８Ａを用いるとともに、両端部が該左右のスライド目地プレート８Ａ、８Ａに取付けられた引張りスプリング９を使用した付勢機構１０Ａを用いた点で、このように構成した目地カバー装置１Ｂにしても、前記本発明の第１の実施の形態と同様な作用効果が得られるとともに、押し圧片が不要で、より安価に製造することができる。
【００１３】
図１５ないし図１７に示す本発明の第４の実施の形態において、前記本発明の第１の実施の形態と主に異なる点は、左右の目地カバー６、６の他端部を天井材１４上をスライド移動可能に支持させた点で、このように構成された天井部分の目地部２を覆う目地カバー装置１Ｃにしても、前記本発明の第１の実施の形態と同様な作用効果が得られる。
【００１４】
【発明の効果】
以上の説明から明らかなように、本発明にあっては次に列挙する効果が得られる。
【００１５】
（１）目地部を介して設けられた左右の建物の、一方の建物の目地部側の壁面と他方の建物の目地部側に有する柱等を除く部位の左右の床躯体あるいは天井材間の目地部を覆う一端部が前記一方の建物の目地部側の壁面に取付けられ、他端部が前記床躯体あるいは天井材上をスライド移動可能に支持された筒状あるいはリップミゾ形鋼形状の左右の目地カバーと、この左右の目地カバーにスライド移動可能に取付けられた前記柱等を有する部位の目地部を覆う、該柱等と当接する部位が傾斜面に形成された左右のスライド目地プレートと、この左右のスライド目地プレートが常時当接するように付勢する付勢機構とで構成しているので、目地部を覆うことができるとともに、目地部側に柱等の障害物を除く部位は左右の目地カバーの他端部のスライド移動によって、左右の建物の異なる左右方向の揺れ動きを吸収するとともに、柱等の障害物部位は該障害物によって左右の目地カバー内方向へスライド移動する左右のスライド目地プレートのスライド移動によって、その揺れ動きを吸収することができる。
したがって、左右の建物の異なる左右方向の揺れ動きを吸収して、損傷するのを確実に阻止することができる。
【００１６】
（２）前記（１）によって、左右のスライド目地プレートを付勢機構で常時当接するように付勢しているので、揺れ動きが停止すると自動的に元の状態に戻すことができる。
したがって、手数をかけることなく使用することができる。
【００１７】
（３）前記（１）によって、構造が簡単で、容易に設置することができる。
【００１８】
（４）請求項２も前記（１）〜（３）と同様な効果が得られる。
【図面の簡単な説明】
【図１】本発明の第１の実施の形態の平面図。
【図２】本発明の第１の実施の形態の底面図。
【図３】図１の３−３線に沿う拡大断面図。
【図４】本発明の第１の実施の形態の左右の目地カバーの説明図。
【図５】本発明の第１の実施の形態の左右のスライド目地プレートの説明図。
【図６】本発明の第１の実施の形態の目地部が広くなった動作説明図。
【図７】本発明の第１の実施の形態の目地部が狭くなった動作説明の平面図。
【図８】図７の８−８線に沿う断面図。
【図９】本発明の第２の実施の形態の平面図。
【図１０】図９の１０−１０線に沿う拡大断面図。
【図１１】本発明の第２の実施の形態の左右の目地カバーの説明図。
【図１２】本発明の第３の実施の形態の平面図。
【図１３】図１２の１３−１３線に沿う拡大断面図。
【図１４】本発明の第３の実施の形態の左右のスライド目地プレートの説明図。
【図１５】本発明の第４の実施の形態の平面図。
【図１６】本発明の第４の実施の形態の底面図。
【図１７】図１５の１７−１７線に沿う拡大断面図。
【符号の説明】
１、１Ａ、１Ｂ、１Ｃ：目地カバー装置、
２：目地部、            ３：建物、
４、４Ａ：柱等の障害物、５：固定部材、
６、６Ａ：左右の目地カバー、
７、７Ａ：傾斜面、
８、８Ａ：左右のスライド目地プレート、
９：引張りスプリング、  １０、１０Ａ：付勢機構、
１１：押し圧片、        １２：ヒンジ部材、
１３：端部カバー、      １４：天井材。
【図１】
2004183404.tif 000003
【図２】
2004183404.tif 000004
【図３】
2004183404.tif 000005
【図４】
2004183404.tif 000006
【図５】
2004183404.tif 000007
【図６】
2004183404.tif 000008
【図７】
2004183404.tif 000009
【図８】
2004183404.tif 000010
【図９】
2004183404.tif 000011
【図１０】
2004183404.tif 000012
【図１１】
2004183404.tif 000013
【図１２】
2004183404.tif 000014
【図１３】
2004183404.tif 000015
【図１４】
2004183404.tif 000016
【図１５】
2004183404.tif 000017
【図１６】
2004183404.tif 000018
【図１７】
2004183404.tif 000019